Podtech/llm-jp-corpus-v4-ja_patent huggingface dataset:
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
ガスから固体微粒子を除去するための装置(１)を含むフェイスマスク(１００)であって、該装置(１)は、
ガス流れを受け入れる入口(２)と、
ガス流れが排出される出口(４)と、
入口と出口との間に延び、ガス流れの通路である迷路流路(６)とを備え、
前記迷路流路(６)は、ガスの流れを誘導して、ガス中の微粒子が、衝突する微粒子を吸着するために配置された迷路流路(６)の吸着面に衝突するように配置され、ガスが入口(２)から出口(４)に流れるときに、ガス中の微粒子は吸着面への衝突によってガスから除去される、フェイスマスク(１００)。
【請求項２】
使用時に、１ｍ/秒未満の速度の大きさを有する装置(１)内の空気量は、装置内の空気の総量の４％より大きい、請求項１に記載のフェイスマスク(１００)。
【請求項３】
装置(１)は入口(２)から出口(４)まで連続的なガス流路を有する、請求項１又は２に記載のフェイスマスク(１００)。
【請求項４】
前記フェイスマスク(１００)は、ガスから固体微粒子を除去するための第２の装置を含み、第２の装置は、ガス流れを受け入れる入口(２)と、ガス流れが排出される出口(４)と、ガス流れの入口(２)と出口(４)との間に延びる迷路流路(６)とを備え、該迷路流路(６)は、ガスの流れを誘導して、ガス中の微粒子が、衝突する微粒子を吸着するために配置された迷路流路(６)の吸着面に衝突するように配置され、ガスが入口(２)から出口(４)に流れるときに、ガス中の微粒子は吸着面への衝突によってガスから除去され、一方の装置は、使用時に、使用者の頬に隣接して使用者の口の両側に配置される、請求項１乃至３の何れかに記載のフェイスマスク。
【請求項５】
ガスから微粒子を除去する方法であって、
ガスから微粒子を除去する装置(１)を備えたフェイスマスク(１００)を配備するステップであって、装置(１)は、
ガス流れを受け入れる入口(２)と、
ガス流れが排出される出口(４)と、
入口(２)と出口(４)との間に延び、ガス流れの通路である迷路流路(６)とを備えるステップと、
入口(２)から出口(４)へガス流れを通過させるステップとを備え、
前記迷路流路(６)は、ガスの流れを誘導して、ガス中の微粒子が、衝突する微粒子を吸着するために配置された迷路流路(６)の吸着面に衝突するように配置され、ガスが入口(２)から出口(４)に流れるときに、ガス中の微粒子は吸着面への衝突によってガスから除去される、方法。
【請求項６】
ガスから微粒子を除去する装置(１)であって、
ガス流れを受け入れる入口(２)と、
ガス流れが排出される出口(４)と、
入口(２)と出口(４)との間に延び、ガス流れの通路である迷路流路(６)とを備え、
前記迷路流路(６)は、ガスの流れを誘導して、ガス中の微粒子が、衝突する微粒子を吸着するために配置された迷路流路(６)の吸着面に衝突するように配置され、ガスが入口(２)から出口(４)に流れるときに、ガス中の微粒子は吸着面への衝突によってガスから除去され、
使用時に、１ｍ/秒未満の速度の大きさを有する装置(１)内の空気量は、装置(１)内の空気の総量４％より多い、装置(１)。
【請求項７】
装置はフェイスマスクである、請求項６に記載の装置(１)。
【請求項８】
前記入口(２)と出口(４)の間の圧力降下は、１０ミリバール未満である、請求項６又は７に記載の装置(１)。
【請求項９】
前記迷路流路(６)は、ガスの流れを誘導して、流れの方向を少なくとも９０度変えながら、ガスの流れが複数の曲がり角及び/又は分岐部を通り、及び/又は通過するように配置され、
及び/又は前記迷路流路(６)の壁は、主流方向に沿って延びる面と、ガスの流れに対して少なくとも９０度の角度をなす面とを含み、ガスの流れ内の微粒子は迷路流路(６)の壁に衝突する、請求項６乃至８の何れかに記載の装置(１)。
【請求項１０】
前記迷路流路(６)の壁は、非多孔質及び/又は非吸収性材料からなり、
及び/又は前記迷路流路(６)の壁は、テクスチャード加工された表面、粗面化表面又は繊維状表面を有し、
及び/又は前記迷路流路(６)の壁は、アクリロニトリルブタジエンスチレン(ＡＢＳ)から作られる、請求項６乃至９の何れかに記載の装置(１)。
【請求項１１】
使用時に、ガスは流体を通らない、請求項６乃至１０の何れかに記載の装置(１)。
【請求項１２】
装置(１)は、バッフル(８)を備える、請求項６乃至１１の何れかに記載の装置(１)。
【請求項１３】
各バッフル(８)は、通路の断面積の１０％から９０％の間の面積を有し、
及び/又はバッフル(８)は、流路が曲がるまで流路の４つ全ての縁の少なくとも一部に沿って明確な線が存在するように配置され、
及び/又はバッフル(８)は、夫々が流路の幅の２０％未満の幅を有する部材によって流路の中央に吊り下げられ、
及び/又は各バッフル(８)間の間隔は、流路の断面径の５０％から３００％の間であり、
及び/又はバッフル(８)は、各バッフル(８)の中心がバッフル(８)の幅の＋/−７５％以下の距離で、バッフル(８)の縁から偏向されるように、凹面と凸面との間に形成される、請求項１２に記載の装置。
【請求項１４】
ガスから微粒子を除去する方法であって、
ガスから微粒子を除去する装置(１)を配備するステップであって、装置(１)は、
ガス流れを受け入れる入口(２)と、
ガス流れが排出される出口(４)と、
入口(２)と出口(４)との間に延びてガスが通過する迷路流路(６)とを備えるステップと、
入口(２)から出口(４)へ装置(１)を通るガス流れを通過させるステップとを備え、
前記迷路流路(６)は、ガスの流れを誘導して、ガス中の微粒子を、衝突する微粒子を吸着するために配置された迷路流路(６)の吸着面に衝突させ、ガスが入口(２)から出口(４)に流れるときに、ガス中の微粒子は吸着面への衝突によってガスから除去され、
使用時に、１ｍ/秒未満の速度の大きさを有する装置(１)内の空気量は、装置(１)内の空気の総量４％より多い、方法。
【請求項１５】
前記装置(１)は、請求項６乃至１３の何れかに記載の装置であり、
方法は、人によって吸い込まれようとしている空気を浄化するためのものであり、
及び/又は方法は、汚染物質が大気中に放出されるのを防ぐために汚染物質が発生する場所で空気を浄化するためのものである、請求項１４に記載の方法。
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
本体と縁部を含む多層のカバーであって、
前記本体は、
ａ．外側のラテックス層
ｂ．内側のラテックス層
ｃ．粒子を含む中間層であって、前記粒子が、
官能化されていない状態においては、
ｉ．平均粒径≦１００μｍ及び
ｉｉ．露出されたＯＨ基を含む表面
によって特徴付けられる前記中間層
を含み、
前記縁部は凝集させられた外側及び内側のラテックス層から本質的になり、前記粒子が、疎水性基を含む化合物で化学的に官能化されることで特徴付けられる前記多層カバー。
【請求項２】
前記粒子は、シリカから形成された無機粒子を含む又は本質的にそれらからなる、請求項１に記載の多層カバー。
【請求項３】
前記粒子が、
ａ．平均粒径≦１μｍ、又は、
ｂ．前記粒子の９０％が粒径≦１μｍを有すること、
で特徴付けられる、請求項１又は２に記載の多層カバー。
【請求項４】
疎水性基を含む前記化合物が、７−オクテニルトリメトキシシラン、５−ヘキセニルトリメトキシシラン、３−メルカプトプロピルトリメトキシシラン、３−（アミノプロピル）トリエトキシシラン、トリス（２−メトキシエトキシ）（ビニル）シラン、アリルトリメトキシシラン、３−（アミノプロピル）トリエトキシシラン、ヘキサデシルトリメトキシシラン、ビニルトリメトキシシラン、トリエトキシビニルシラン、３−トリメトキシシリルプロパン−１−チオール、ビス［３−（トリエトキシシリル）プロピル］テトラスルフィド、３−（メタクリルオキシプロピル）トリメトキシシラン、及び３−Ｎ−（３−トリエトキシシリルプロピル）グルコンアミドから選択される化合物である、請求項１〜３のいずれか一項に記載の多層カバー。
【請求項５】
前記粒子が、ポリエチレングリコール、ポリグリセリン、及びＮ−（３−トリエトキシシリルプロピル）グルコンアミド、又は３−［メトキシ（ポリエチレンオキシ）プロピル］トリメトキシシランから選択される親水基を含む化合物を用いてさらに官能化される、請求項１〜４のいずれか一項に記載の多層カバー。
【請求項６】
前記官能化された粒子が、両親媒性粒子表面を有する請求項１〜５のいずれか一項に記載の多層カバー。
【請求項７】
前記粒子が、少なくとも２つの異なる化合物を用いて官能化される、請求項１〜６のいずれか一項に記載の多層カバー。
【請求項８】
ａ．第１の化合物は疎水性表面を産出するのに適した化合物から選択され、第１の化合物は７−オクテニルトリメトキシシラン、５−ヘキセニルトリメトキシシラン、３−メルカプトプロピルトリメトキシシラン、３−アミノプロピルトリエトキシシラン、トリス（２−メトキシエトキシ）（ビニル）シラン、アリルトリメトキシシラン、３−（アミノプロピル）トリエトキシシラン、ヘキサデシルトリメトキシシラン、ビニルトリメトキシシラン、トリエトキシビニルシラン、３−トリメトキシシリルプロパン−１−チオール、ビス［３−（トリエトキシシリル）プロピル］テトラスルフィド、３−（メタクリルオキシプロピル）トリメトキシシラン、及び３−Ｎ−（３−トリエトキシシリルプロピル）グルコンアミドから選択される化合物であり、かつ
ｂ．第２の化合物は親水性表面を産出するのに適した化合物から選択され、ポリエチレングリコール、ポリグリセリン、Ｎ−（３−トリエトキシシリルプロピル）グルコンアミド及び３−［メトキシ（ポリエチレンオキシ）プロピル］トリメトキシシランから選択される物質である、
請求項７に記載の多層カバー。
【請求項９】
前記内側及び／又は外側のラテックス層が、中間層に面するラテックス層の正面上での水との接触角＜９０°で特徴付けられる、請求項１〜８のいずれか一項に記載の多層カバー。
【請求項１０】
前記多層カバーがその全寸法にわたって均一に広がる１００μｍ〜８００μｍの厚さによって特徴付けられる、請求項１〜９のいずれか一項に記載の多層カバー。
【請求項１１】
請求項１〜１０のいずれか一項に記載の多層カバーを含む又は本質的にそれらからなる手袋。
【請求項１２】
多層カバーの生産方法であって、以下の工程：
ａ．成形具を供給する工程と、
ｂ．前記成形具を第１の凝固剤液体に浸漬深さｄ１まで浸漬し、前記成形具を引き上げ乾燥する工程と、
ｃ．前記成形具を第１のラテックス分散液に浸漬深さｄ２まで浸漬し、前記成形具を引き上げ乾燥し、第１のラテックスで覆われた成形具を産出する工程と、
ｄ．化学的に官能化された粒子を前記第１のラテックスで覆われた成形具に浸漬深さｄ３まで塗布し、粒子で処理された成形具を産出する工程であり、
前記粒子は、
官能化されていない状態において、平均粒径≦１００μｍ及び２〜５／ｎｍ２の密度で露出されたＯＨ基を含む表面によって特徴付けられ、
疎水性基を含む化合物を用いて化学的に官能化される前記工程と
ｅ．前記粒子で処理された成形具を第２のラテックス分散液に浸漬深さｄ４まで浸漬し、前記粒子で処理された成形具を引き上げ乾燥し；第２のラテックスでカバーされた成形具を産出する工程であり、
ｄ１≧ｄ２＞ｄ３及びｄ１≧ｄ４＞ｄ３であり；
ｆ．前記コーティングされた成形具から塗布された層を除去し、多層カバーを産出する工程と、
を含む前記方法。
【請求項１３】
前記第１及び第２のラテックス分散液並びに化学的に官能化された粒子は加硫システムを含み、工程ｅにおいて前記第２のラテックス分散液から前記粒子で処理された成形具の引き上げに続き、加硫工程は１００℃と２００℃の間で実行される、請求項１２に記載の方法。
【請求項１４】
前記粒子がシリカ粒子である、請求項１２又は１３のいずれか一項に記載の方法。
【請求項１５】
ａ．前記粒子が、
７−オクテニルトリメトキシシラン、５−ヘキセニルトリメトキシシラン、３−メルカプトプロピルトリメトキシシラン、３−アミノプロピルトリエトキシシラン、トリス（２−メトキシエトキシ）（ビニル）シラン、アリルトリメトキシシラン、３−（アミノプロピル）トリエトキシシラン、ヘキサデシルトリメトキシシラン、ビニルトリメトキシシラン、トリエトキシビニルシラン、３−トリメトキシシリルプロパン−１−チオール、ビス［３−（トリエトキシシリル）プロピル］テトラスルフィド、３−（メタクリルオキシプロピル）トリメトキシシラン、及び３−Ｎ−（３−トリエトキシシリルプロピル）グルコンアミドから選択される化合物の表面への共有結合によって官能化され、及び
ｂ．前記粒子がポリエチレングリコール、ポリグリセリン、Ｎ−（３−トリエトキシシリルプロピル）グルコンアミド、及び３−［メトキシ（ポリエチレンオキシ）プロピル］トリメトキシシランから選択される第２の化合物の共有結合によってさらに官能化される、
請求項１２〜１４のいずれか一項に記載の方法。
【手続補正書】
【提出日】令和2年12月3日(2020.12.3)
【手続補正１】
【補正対象書類名】明細書
【補正対象項目名】００２５
【補正方法】変更
【補正の内容】
【００２５】
たとえば内燃機関内で使用されるような、この種の多層滑り軸受要素１の原理的な構造は、従来技術から知られているので、これ以上の説明はしない。しかし、他の層を配置すること、したがってたとえば滑り層３と軸受金属層５の間に接着層及び／又は拡散阻止層を配置することもでき、同様に軸受金属層５と支持層２の間に接着層を配置することができることを、述べておく。
【手続補正２】
【補正対象書類名】明細書
【補正対象項目名】００４１
【補正方法】変更
【補正の内容】
【００４１】
軸受金属層５が配置される限りにおいて、滑り層３は、好ましくは少なくとも５μｍ、好ましくは少なくとも１５μｍ、そして最大で６０μｍ、好ましくは最大で５０μｍの層厚で形成することができる。軸受金属層５が設けられない場合には、好ましくは少なくとも２０μｍ、好ましくは少なくとも５０μｍ、そして最大で５００μｍ、好ましくは最大で２００μｍの層厚が形成される。
【手続補正３】
【補正対象書類名】明細書
【補正対象項目名】００７５
【補正方法】変更
【補正の内容】
【００７５】
実施例２：
ブランク：鋼
滑り層：ＡｂＣｕ６
前処理：
滑り軸受要素ブランク６とターゲット９の間の電位差−１２９０Ｖ
プロセス混合物：アルゴン＋０．５％酸素
プロセスガス圧：１Ｐａ（１ｅ-2ｍｂａｒ）
温度２４０℃
処理長さ：２０分
堆積：
滑り軸受要素ブランク６とターゲット９の間の電位差：５５０Ｖ
プロセスガス：アルゴン
プロセスガス圧：１０Ｐａ（１０ｅ-2ｍｂａｒ）
温度：１３０℃
コーティング率：２．４μｍ／分
コーティング長さ：４２分
結果：
移行ゾーンの層厚：１．７μｍ
滑り層全体の層厚：１００μｍ
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
大気汚染データを取得し、当該データをモータサイクル（１）の運転手に伝えるための方法（１００）であって、
前記モータサイクル（１）が運転されているとき、前記モータサイクル（１）に搭載されたセンサ（２７）によって、運転中に、前記モータサイクル（１）が使用されている地理的地域での大気汚染と相関のある少なくとも一つの第１のデータを取得し、前記第１のデータを含む少なくとも一つの第１の信号を取得するステップ（１０１）と、
前記第１の信号を電子処理ユニット（６０）に提供するステップ（１０２）と、
制御信号を生成するために前記電子処理ユニット（６０）によって前記第１の信号を処理するステップ（１０６）と、
前記モータサイクル（１）が運転されているとき、大気汚染への前記運転手の接触と相関のある情報を前記運転手に提供するために、前記制御信号によって信号装置（２５）を制御するステップ（１０７）とを含み、
前記処理ステップ（１０６）は、前記センサ（２７）によって取得された汚染があらかじめ定められた基準を超えたかどうか確認するために、前記第１のデータを少なくとも一つの閾値と比較する工程を含み、
前記制御ステップ（１０７）において、取得された前記汚染が前記あらかじめ定められた基準を超えた場合、前記信号装置がスイッチオンされる、
方法（１００）。
【請求項２】
前記信号装置（２５）は、視覚的な信号装置と、聴覚的な信号装置と、触覚的な信号装置の少なくともいずれかである、請求項１に記載の方法。
【請求項３】
様々な情報源からもたらされる汚染データを収集し、統合するように設計された遠隔処理ステーションに前記第１のデータを送信するステップ（１０３）を含む、請求項１または請求項２に記載の方法（１００）。
【請求項４】
前記モータサイクル（１）の少なくとも一つの地理的位置データがまた、前記送信ステップ（１０３）中に送信される、請求項３に記載の方法（１００）。
【請求項５】
前記遠隔処理ステーションで、前記モータサイクル（１）が運転されているとき、前記モータサイクル（１）が使用される地域の平均汚染と相関のある第２のデータを取得または算出するステップ（１０４）と、
前記第２のデータを含む第２の信号を前記遠隔処理ステーションから前記電子処理ユニット（６０）へと送信するステップ（１０５）とを含み、
前記第２の信号はまた、前記処理ステップ（１０６）中に処理される、
請求項４に記載の方法（１００）。
【請求項６】
前記処理ステップ（１０６）は、前記第１のデータを前記第２のデータと比較する工程を含む、請求項５に記載の方法（１００）。
【請求項７】
前記処理ステップ（１０６）は、
出発地から選択された目的地へと行く前記モータサイクルのナビゲーション旅程を算出し、
前記ナビゲーション旅程を前記旅程の地区で検出された大気汚染データと相関させ、前記旅程での第１の大気汚染インデックスを前記旅程と関連付け、
代替的な旅程が存在する場合、前記第１のインデックスより小さな代替的な旅程での第２の大気汚染インデックスが関連付けられた前記代替的な旅程を見つけるために、一つ以上の代替的な旅程を確認する工程を含む、
請求項１から請求項６のいずれか一項に記載の方法（１００）。
【請求項８】
前記処理ステップ（１０６）は、見つけられた前記代替的な旅程を前記運転手に提案する工程を含む、請求項７に記載の方法。
【請求項９】
前記処理ステップ（１０６）は、前記運転手から示された前記代替的な旅程の受容データまたは拒絶データを受信するステップを含む、請求項８に記載の方法。
【請求項１０】
請求項１から請求項９のいずれか一項に記載の方法（１００）を実行するために電子処理装置のメモリに読み込まれ得る、プログラムコードを含むコンピュータプログラム。
【請求項１１】
大気汚染データを取得し、当該データをモータサイクル（１）の運転手に伝えるためのシステムであって、
センサ（２７）を備えるモータサイクル（１）であって、前記センサ（２７）は、前記モータサイクル（１）に搭載されており、前記モータサイクル（１）が運転されているときに前記モータサイクル（１）が使用される地理的地域での大気汚染と相関のある少なくとも一つの第１のデータを取得し、前記第１のデータを含む少なくとも一つの第１の信号を取得するように構成および設計されている、モータサイクル（１）と、
前記第１の信号を受信し、制御信号を生成するために前記第１の信号を処理するように構成および設計されている、電子処理ユニット（６０）と、
前記センサ（２７）から検出された汚染があらかじめ定められた基準を超えた場合、前記モータサイクル（１）が運転されているとき、大気汚染への前記運転手の接触と相関のある情報を前記運転手に提供するために、スイッチオンされるように前記制御信号によって制御されるように構成および設計されている、信号装置（２５）とを備える、
システム。
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
血液免疫細胞のための定量的メチル化アッセイのための方法であって、
a）定量化されるべき血液免疫細胞の2倍体ゲノムDNAを含む規定容量のヒト血液の試料を準備する工程と、
b）少なくとも1つの脱メチル化標準遺伝子と、前記少なくとも1つの脱メチル化標準遺伝子の全てのCpGジヌクレオチドをGpCに反転する配列とを含むin silicoでバイサルファイト変換された組み換え核酸（「標準I」）を準備する工程と、
c）前記b）の少なくとも1つの脱メチル化標準遺伝子の脱メチル化されたゲノム配列と、前記b）の少なくとも1つの脱メチル化標準遺伝子の全てのCpGジヌクレオチドをGpCに反転する前記配列の脱メチル化されたゲノム配列とを含む組み換え核酸（「キャリブレーターI」）を準備する工程と、
d）前記b）の少なくとも1つの脱メチル化標準遺伝子の全てのCpGジヌクレオチドをGpCに反転する配列を含む組み換え核酸（「スパイカーI」）を準備する工程と、
e）規定量の前記d）の組み換え核酸を前記a）の試料に添加する工程（「スパイキング」）と、
f）前記a）の定量化されるべき細胞の2倍体ゲノムDNA並びに前記c）及びd）の組み換え核酸をバイサルファイトで処理することで、非メチル化シトシンをウラシルへと変換する工程と、
g）前記a）、b）、c）、及びf）の核酸分子を適切なプライマー対を使用して増幅させることで、アンプリコンを作製する工程と、
h）前記アンプリコンの分析に基づいて試料の容量当たりの血液免疫細胞（BIC）を特定する工程と、
を含む、方法。
【請求項２】
血液細胞のための定量的メチル化アッセイのための方法であって、
a）定量化されるべき血液細胞の2倍体ゲノムDNAを含むヒト血液の試料を準備する工程と、
b）少なくとも1つの脱メチル化標準遺伝子と、少なくとも1つの血液細胞特異的遺伝子とを含むin silicoでバイサルファイト変換された組み換え核酸（「標準II」）を準備する工程と、
c）前記b）の少なくとも1つの脱メチル化標準遺伝子の脱メチル化されたゲノム配列と、前記b）の少なくとも1つの血液細胞特異的遺伝子の脱メチル化されたゲノム配列とを含む組み換え核酸（「キャリブレーターII」）を準備する工程と、
d）前記a）の定量化されるべき細胞の2倍体ゲノムDNA、及び前記c）の組み換え核酸をバイサルファイトで処理することで、非メチル化シトシンをウラシルへと変換する工程と、
e）前記a）、b）、c）、及びd）の核酸分子を適切なプライマー対を使用して増幅させることで、アンプリコンを作製する工程と、
f）前記アンプリコンの分析に基づいて全ての細胞当たりの脱メチル化のパーセント（DDC）を特定する工程と、
を含む、方法。
【請求項３】
免疫細胞型のメチル化された遺伝子の絶対的コピー数を測定する方法であって、
a）請求項1に記載の方法を実施することと、
b）請求項2に記載の方法を実施することと、
c）特定されたBICに特定されたDDCを乗ずることと、
を含む、方法。
【請求項４】
前記血液免疫細胞は、白血球、Tリンパ球、顆粒球、単球、Bリンパ球、及び／又はNK細胞から選択される、請求項1〜3のいずれか一項に記載の方法。
【請求項５】
前記組み換え核酸分子は、プラスミド、酵母人工染色体（YAC）、ヒト人工染色体（HAC）、PI由来人工染色体（PAC）、細菌人工染色体（BAC）、及びPCR産物から選択される、請求項1〜4のいずれか一項に記載の方法。
【請求項６】
前記脱メチル化標準遺伝子は、検出されるべき全ての細胞中で発現される遺伝子、又はハウスキーピング遺伝子、又はGAPDHから選択される、請求項1〜5のいずれか一項に記載の方法。
【請求項７】
前記血液細胞特異的遺伝子は、検出されるべき全ての血液細胞中で発現される遺伝子若しくはCD4から選択される、請求項1〜6のいずれか一項に記載の方法。
【請求項８】
前記血液試料は、末梢血試料、毛細血試料、若しくは静脈血試料、又はそれらのサブトラクション若しくは末梢血単球、血餅、及び乾燥した血液スポットから選択される、請求項1〜7のいずれか一項に記載の方法。
【請求項９】
前記定量化に基づいて哺乳動物の免疫状態について結論づける工程を更に含む、請求項3〜8のいずれか一項に記載の方法。
【請求項１０】
請求項1〜9のいずれか一項に記載の方法を実施するための材料を、使用のための説明書と一緒に含む診断キット。
【請求項１１】
請求項1〜3のいずれか一項に記載の方法を実施するための、請求項10に記載の診断キット。
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
アデノ随伴ウイルス（ＡＡＶ）キャプシドタンパク質であって、前記ＡＡＶキャプシドタンパク質が、アミノ酸残基Ｓ２６２、Ａ２６３、Ｓ２６４、Ｔ２６５、およびＡ２６７における修飾（ＶＰ１番号付け）、ならびに残基Ｓ２６８とＮ２６９との間の単一のアミノ酸残基の挿入を含み、前記アミノ酸残基が、ＡＡＶ１のアミノ酸配列（配列番号１）またはＡＡＶ２（配列番号２）、ＡＡＶ３（配列番号３）、ＡＡＶ６（配列番号４）、ＡＡＶ７（配列番号５）、ＡＡＶ８（配列番号６）、ＡＡＶ９（配列番号７）、もしくはＡＡＶｒｈ１０（配列番号８）における等価なアミノ酸残基に基づく、ＡＡＶキャプシドタンパク質。
【請求項２】
前記キャプシドタンパク質が、アミノ酸残基Ｈ２７２における修飾をさらに含む、請求項１に記載のＡＡＶキャプシドタンパク質。
【請求項３】
前記ＡＡＶキャプシドタンパク質が、アミノ酸残基Ｑ１４８、Ｅ１５２、Ｓ１５７、Ｔ１６２、Ｈ２７２、Ｔ３２６、Ｄ３２８、Ｖ３３０、Ｔ３３１、Ｖ３４１、およびＳ３４５における修飾、ならびに残基Ｅｌ５２とＰ１５３との間の単一のアミノ酸残基の挿入をさらに含む、請求項１または請求項２に記載のＡＡＶキャプシドタンパク質。
【請求項４】
前記ＡＡＶキャプシドタンパク質が、アミノ酸残基Ｌ１８８、Ｓ２０５、Ｎ２２３、Ａ２２４、およびＨ２７２における修飾をさらに含む、請求項１〜３のいずれか一項に記載のＡＡＶキャプシドタンパク質。
【請求項５】
前記修飾が、Ｓ２６２Ｎ、Ａ２６３Ｇ、Ｓ２６４Ｔ、Ｔ２６５Ｓ、およびＡ２６７Ｓのうちの少なくとも１つである、請求項１〜４のいずれか一項に記載のＡＡＶキャプシドタンパク質。
【請求項６】
前記修飾が、Ｑ１４８Ｐ、Ｅ１５２Ｒ、Ｓ１５７Ｔ、Ｔ１６２Ｋ、Ｈ２７２Ｔ、Ｔ３２６Ｑ、Ｄ３２８Ｅ、Ｖ３３０Ｔ、Ｔ３３１Ｋ、Ｖ３４１Ｉ、およびＳ３４５Ｔのうちの少なくとも１つである、請求項３〜５のいずれか一項に記載のＡＡＶキャプシドタンパク質。
【請求項７】
前記修飾が、Ｌ１８８Ｉ、Ｓ２０５Ａ、Ｎ２２３Ｓ、Ａ２２４Ｓ、およびＨ２７２Ｔのうちの少なくとも１つである、請求項４〜６のいずれか一項に記載のＡＡＶキャプシドタンパク質。
【請求項８】
残基Ｓ２６８とＮ２６９との間の前記アミノ酸残基の挿入が、単一のＴ残基の挿入である、請求項１〜７のいずれか一項のＡＡＶキャプシドタンパク質。
【請求項９】
残基Ｅ１５２とＰ１５３との間の前記アミノ酸残基の挿入が、単一のＳ残基の挿入である、請求項３〜８のいずれか一項に記載のＡＡＶキャプシドタンパク質。
【請求項１０】
前記キャプシドタンパク質のアミノ酸配列が、
ａ）配列番号９のアミノ酸配列（ＡＡＶ１ＲＸ）、
ｂ）配列番号１０のアミノ酸配列（ＡＡＶ２ＲＸ）、
ｃ）配列番号１１のアミノ酸配列（ＡＡＶ３ＲＸ）、
ｄ）配列番号１２のアミノ酸配列（ＡＡＶ６ＲＸ）、
ｅ）配列番号１３のアミノ酸配列（ＡＡＶ７ＲＸ）、
ｆ）配列番号１４のアミノ酸配列（ＡＡＶ８ＲＸ）、
ｇ）配列番号１５のアミノ酸配列（ＡＡＶ９ＲＸ）、
ｈ）配列番号１６のアミノ酸配列（ＡＡＶ１Ｒ６）、
ｉ）配列番号１７のアミノ酸配列（ＡＡＶ２Ｒ６）、
ｊ）配列番号１８のアミノ酸配列（ＡＡＶ３Ｒ６）、
ｋ）配列番号１９のアミノ酸配列（ＡＡＶ６Ｒ６）、
ｌ）配列番号２０のアミノ酸配列（ＡＡＶ７Ｒ６）、
ｍ）配列番号２１のアミノ酸配列（ＡＡＶ８Ｒ６）、
ｎ）配列番号２２のアミノ酸配列（ＡＡＶ９Ｒ６）、
о）配列番号２３のアミノ酸配列（ＡＡＶ１Ｒ７）、
ｐ）配列番号２４のアミノ酸配列（ＡＡＶ２Ｒ７）、
ｑ）配列番号２５のアミノ酸配列（ＡＡＶ３Ｒ７）、
ｒ）配列番号２６のアミノ酸配列（ＡＡＶ６Ｒ７）、
ｓ）配列番号２７のアミノ酸配列（ＡＡＶ７Ｒ７）、
ｔ）配列番号２８のアミノ酸配列（ＡＡＶ８Ｒ７）、および
ｕ）配列番号２９のアミノ酸配列（ＡＡＶ９Ｒ７）からなる群から選択される、請求項１に記載のＡＡＶキャプシドタンパク質。
【請求項１１】
前記キャプシドタンパク質のアミノ酸配列が、配列番号９（ＡＡＶ１ＲＸ）である、請求項１に記載のＡＡＶキャプシドタンパク質。
【請求項１２】
前記キャプシドタンパク質のアミノ酸配列が、配列番号３０（ＡＡＶ１ＲＸ’）である、請求項１に記載のＡＡＶキャプシドタンパク質。
【請求項１３】
前記キャプシドタンパク質のアミノ酸配列が、配列番号３３（ＡＡＶ６ＲＸ’）である、請求項１に記載のＡＡＶキャプシドタンパク質。
【請求項１４】
配列番号３１、３２または３４のいずれか１つの配列を含む、ＡＡＶキャプシドタンパク質。
【請求項１５】
請求項１〜１４のいずれか一項に記載のＡＡＶキャプシドタンパク質を含む、アデノ随伴ウイルス（ＡＡＶ）ベクター。
【請求項１６】
少なくとも１つの末端反復配列を含む核酸をさらに含み、前記核酸が前記ＡＡＶキャプシドタンパク質によってキャプシド封入された、請求項１５に記載のＡＡＶベクター。
【請求項１７】
前記核酸が、治療用タンパク質または治療用ＲＮＡをコードする配列をさらに含む、請求項１６に記載のＡＡＶウイルスベクター。
【請求項１８】
請求項１５〜１７のいずれか一項に記載のウイルスベクターを含む、医薬組成物。
【請求項１９】
核酸分子を細胞に導入する方法であって、前記細胞を請求項１５〜１７のいずれか一項に記載のＡＡＶウイルスベクター、または、請求項１８に記載の医薬組成物と接触させることを含む方法。
【請求項２０】
前記細胞が神経細胞である、請求項１９に記載の方法。
【請求項２１】
対象における神経障害または欠陥を処置する方法における使用のための、請求項１５〜１７のいずれか一項に記載のウイルスベクターまたは請求項１８に記載の組成物であって、前記ウイルスベクターまたは組成物が、前記神経障害の処置に有効な治療用タンパク質または治療用ＲＮＡをコードする核酸分子を含む、ウイルスベクターまたは組成物。
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
生体金属インプラントであって：
第２のマグネシウム合金ワイヤと第１の接続点において隣接する第１のマグネシウム合金ワイヤを含み、
第１のマグネシウム合金ワイヤは第１の接続点において、複数の接合カフの中の第１の接合カフを使用して第２のマグネシウム合金ワイヤに結合され、そして
第１のマグネシウム合金ワイヤおよび第２のマグネシウム合金ワイヤは、生体金属インプラントの少なくとも一部を形成するよう成形されている、生体金属インプラント。
【請求項２】
第１のマグネシウム合金ワイヤおよび第２のマグネシウム合金ワイヤは各々正弦波形状を有している、請求項１の生体金属インプラント。
【請求項３】
第１のマグネシウム合金ワイヤは第１の環へと成形されており、
複数の接合カフの中の第２の接合カフは第１のマグネシウム合金ワイヤの第１の端部を第１のマグネシウム合金ワイヤの第２の端部に接合させて第１の環を固定し、そして
第２のマグネシウム合金ワイヤは第２の環へと成形されており、
複数の接合カフの中の第３の接合カフは第２のマグネシウム合金ワイヤの第１の端部を第２のマグネシウム合金ワイヤの第２の端部に接合させて第２の環を固定する、請求項１の生体金属インプラント。
【請求項４】
第１のマグネシウム合金ワイヤは、第１の接続点と異なる第２の接続点において、複数の接合カフの中の第４の接合カフを使用して第２のマグネシウム合金ワイヤに接続されている、請求項３の生体金属インプラント。
【請求項５】
第１のマグネシウム合金ワイヤはさらに、第１の複数の接続点において、複数の接合カフの中の第１の部分組によって第２のマグネシウム合金ワイヤに結合されている、請求項１の生体金属インプラント。
【請求項６】
第２の複数の接続点において、複数の接合カフの中の第１の部分組と異なる第２の部分組によって第２のマグネシウム合金ワイヤに結合された第３のマグネシウム合金ワイヤをさらに含み、
第２の複数の接続点の各々は第２のマグネシウム合金ワイヤに沿って、第１の複数の接続点の各々と交互になっており、
第１のマグネシウム合金ワイヤ、第２のマグネシウム合金ワイヤ、および第３のマグネシウム合金ワイヤはネット状構造を画定する、請求項５の生体金属インプラント。
【請求項７】
ネット状構造は管形状に形成されている、請求項６の生体金属インプラント。
【請求項８】
ネット状構造は、ネット状構造の向かい合った縁部に取り付けられたマグネシウム合金の端部ワイヤを使用して管形状に固定される、請求項７の生体金属インプラント。
【請求項９】
複数の接合カフの各々はシール材料を含む、請求項１の生体金属インプラント。
【請求項１０】
複数の接合カフの少なくとも１つの接合カフが放射線不透過性材料を含む、請求項１の生体金属インプラント。
【請求項１１】
生体金属インプラントであって：
管へと形成された複数のマグネシウム合金ワイヤを含み、複数のマグネシウム合金ワイヤの各々は、複数の接合カフの中の２つの個別の接合カフの部分組によって、複数のマグネシウム合金ワイヤの隣接する２つのマグネシウム合金ワイヤに固定されている、生体金属インプラント。
【請求項１２】
複数の接合カフの各々の接合カフは、それに挿入された、複数のマグネシウム合金ワイヤの中の２つのマグネシウム合金ワイヤを有する、請求項１１の生体金属インプラント。
【請求項１３】
複数のカフの各々はシール材料を含む、請求項１１の生体金属インプラント。
【請求項１４】
ステントを対象に埋設するための方法であって：
複数の接合カフによって接続された複数のワイヤを含む管状構造を包含するステントをもたらし、複数の接合カフの中の接合カフの部分組の各々は放射線不透過性マーカーを有し；
ステントを対象の管腔空間内に配置し；
放射線不透過性マーカーを有する接合カフの部分組の第１の位置を示す、管腔空間の第１の像を取得し；
ステントを管腔空間内部で拡張し；
放射線不透過性マーカーを有する接合カフの部分組の第２の位置を示す、管腔空間の第２の像を取得することを含み、
放射線不透過性マーカーを有する接合カフの少なくとも２つの部分組の第２の位置は、放射線不透過性マーカーを有する接合カフの少なくとも２つの部分組の第２の位置よりもさらに離間している、方法。
【請求項１５】
放射線不透過性マーカーを有する接合カフの部分組は、放射線不透過性マーカーを有する接合カフの複数の線形配列を含む、請求項１４の方法。
【請求項１６】
ステントを管腔空間内に配置することは、ステントを回転させることをさらに含む、請求項１４の方法。
【請求項１７】
ステントを拡張することは、バルーンを使用してステントを拡張することを含む、請求項１４の方法。
【請求項１８】
放射線不透過性マーカーは白金−イリジウムを含む、請求項１４の方法。
【手続補正書】
【提出日】令和3年1月26日(2021.1.26)
【手続補正１】
【補正対象書類名】特許請求の範囲
【補正対象項目名】全文
【補正方法】変更
【補正の内容】
【特許請求の範囲】
【請求項１】
少なくとも一つの発酵工程および改変微生物を用いて、唯一の炭素源としての炭水化物からグリコール酸および／またはグリオキシル酸を製造する方法であって、前記改変微生物において：
−ａｃｅＢ、ｇｌｃＢ、ｇｃｌおよびｅｄａからなる群から選択される少なくとも一つの遺伝子の発現を低減させ、かつ、
−キシルロース５−リン酸ホスホケトラーゼおよび／またはフルクトース６−リン酸ホスホケトラーゼをコードする少なくとも一つの遺伝子の発現が増強されている、
前記製造方法。
【請求項２】
前記ホスホケトラーゼをコードする遺伝子が、ラクトバチルス・ペントサス（Lactobacillus pentosus）のｘｐｋＡ遺伝子、ビフィドバクテリウム・アニマリス（Bifidobacterium animalis）のｘｆｐ遺伝子、またはビフィドバクテリウム・ラクティス（Bifidobacterium lactis）のｘｆｐ遺伝子、およびそれらの相同遺伝子からなる群から選択される、請求項１に記載の製造方法。
【請求項３】
前記改変微生物が、大腸菌（Escherichia coli）由来のｙｃｄＷ遺伝子または少なくとも一つのその相同遺伝子をさらに過剰発現する、請求項１または２に記載のグリコール酸の製造方法。
【請求項４】
グリコール酸からグリオキシル酸を製造するための請求項３に記載の方法であって、
−大腸菌由来のｇｌｄＤＥＦＧ遺伝子によりコードされるグリコール酸オキシダーゼおよび大腸菌由来のｋａｔＥまたはｋａｔＧ遺伝子によりコードされるカタラーゼを用いたグリコール酸からの生物変換によって、またはニトロキシルラジカル触媒を用いた化学変換によって、グリコール酸をグリオキシル酸に変換する工程、
−グリオキシル酸を回収する工程
をさらに含む、前記製造方法。
【請求項５】
前記グリコール酸をグリオキシル酸に変換する工程の前に、発酵ブロスからグリコール酸を分離する工程をさらに含む、請求項４に記載の製造方法。
【請求項６】
グリコール酸オキシダーゼおよびカタラーゼが同じ微生物において発現される、請求項４に記載の製造方法。
【請求項７】
前記改変微生物において、少なくとも大腸菌由来のｙｃｄＷ遺伝子が低減されている、請求項１または２に記載のグリオキシル酸の製造方法。
【請求項８】
グリオキシル酸からグリコール酸を製造するための請求項７に記載の方法であって、
−大腸菌由来の遺伝子ｙｃｄＷ遺伝子またはリゾビウム・エトリ（Rhizobium etli）由来のｇｒｘＡ遺伝子によりコードされるグリオキシル酸レダクターゼを用いたグリオキシル酸からの生物変換によって、または水素化ホウ素ナトリウムを用いた化学変換によって、グリオキシル酸をグリコール酸に変換する工程、
−グリコール酸を回収する工程
をさらに含む、前記製造方法。
【請求項９】
前記グリオキシル酸をグリコール酸に変換する工程の前に、発酵ブロスからグリオキシル酸を分離する工程をさらに含む、請求項８に記載の製造方法。
【請求項１０】
グリコール酸が、結晶化、蒸留、液−液抽出または抽出発酵の工程により精製される、請求項１〜９のいずれか一項に記載の製造方法。
【請求項１１】
グリオキシル酸が、イオン交換、結晶化、沈殿または抽出発酵の工程により精製される、請求項１〜１０のいずれか一項に記載の製造方法。
【請求項１２】
グリコール酸またはグリオキシル酸の製造のために改変された微生物であって、
−ａｃｅＢ、ｇｌｃＢ、ｇｃｌおよびｅｄａからなる群から選択される少なくとも一つの遺伝子の発現が低減され、
−ホスホケトラーゼをコードする少なくとも一つの遺伝子の発現が増強されている、
前記微生物。
【請求項１３】
前記ホスホケトラーゼをコードする遺伝子が、ラクトバチルス・ペントサスのｘｐｋＡ遺伝子、ビフィドバクテリウム・アニマリスのｘｆｐ遺伝子、またはビフィドバクテリウム・ラクティスのｘｆｐ遺伝子、およびそれらの相同遺伝子からなる群から選択される、請求項１２記載の微生物。
【請求項１４】
−大腸菌由来のｙｃｄＷ遺伝子または少なくとも一つのグリコール酸産生のためのその相同遺伝子の過剰発現、または、
−グリオキシル酸産生のための大腸菌由来の少なくともｙｃｄＷ遺伝子の発現の低減
をさらに含む、請求項１２または１３に記載の微生物。
【請求項１５】
前記微生物が、腸内細菌科、クロストリジウム科、コリネバクテリウム科、バチルス科、ビフィドバクテリウム科、ラクトバチルス科および酵母からなる群から選択される、請求項１２〜１４のいずれか一項に記載の微生物。
【請求項１６】
前記微生物が大腸菌種由来である、請求項１５に記載の微生物。
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
閉塞構造物に関連する情報を決定するためのシステムであって、前記システムは、
広帯域放射線源と、
少なくとも１つの光ファイバーと、
スペクトル分解ユニットと、
処理ユニットと、
出力ユニットとを備え、
前記少なくとも１つの光ファイバーは、前記広帯域放射線源によって生じた広帯域放射を血管構造内に伝え、
前記少なくとも１つの光ファイバーは、前記血管構造内から反射した少なくとも１つの広帯域放射を前記スペクトル分解ユニットに伝え、
前記少なくとも１つの広帯域放射は、血管構造内の関心領域にある血液凝固塊を含む閉塞構造物と関連する第１の広帯域放射を含み、前記第１の広帯域放射は前記血液凝固塊から反射した放射を含み、前記少なくとも１つの広帯域放射は、前記血管構造内から反射した前記閉塞構造物と関連していない第２の広帯域放射を含み、
前記スペクトル分解ユニットは、前記処理ユニットに、前記少なくとも１つの広帯域放射に基づいて少なくとも１つのスペクトル分解されたデータセットを供給し、前記スペクトル分解ユニットは、前記少なくとも１つのスペクトル分解されたデータセットを決定するための波長分解素子であり、
前記少なくとも１つのスペクトル分解されたデータセットは、前記第１の広帯域放射に基づいて決定される第１のスペクトル分解されたデータセットを含み、前記少なくとも１つのスペクトル分解されたデータセットは、前記第２の広帯域放射に基づいて決定される第２のスペクトル分解されたデータセットを含み、
前記処理ユニットは、前記閉塞構造物に関連する情報を決定し、前記血液凝固塊に関連する情報の決定は、前記第１のスペクトル分解されたデータセットと前記第２のスペクトル分解されたデータセットとの間の比率の利用を含み、
前記出力ユニットは、懸念される前記閉塞構造物に関連する情報を出力する、
システム。
【請求項２】
前記第２の広帯域放射は前記関心領域から反射したものである、請求項１に記載のシステム。
【請求項３】
前記血液凝固塊に関連する前記情報の決定は、赤血球が豊富である第１の血液凝固塊タイプとフィブリンが豊富である第２の血液凝固塊タイプとの間の区別を含む、請求項１又は２に記載のシステム。
【請求項４】
前記第１の血液凝固塊タイプと前記第２の血液凝固塊タイプとの間の前記区別は、少なくとも１つの生理的パラメータの決定を含み、前記少なくとも１つの生理的パラメータは、ヘモグロビン量、ヘモグロビン酸素飽和度、散乱量、血管パッケージングパラメータ、含水量、及び、少なくとも１つのヘモグロビン誘導体の量、の１つ又は複数を含む、請求項３に記載のシステム。
【請求項５】
前記少なくとも１つの生理的パラメータの前記決定は、前記少なくとも１つのスペクトル分解されたデータセットへの光学モデルの適合、前記少なくとも１つのスペクトル分解されたデータセットへの少なくとも１つの多変量解析ツールの適用、前記少なくとも１つのスペクトル分解されたデータセットの部分最小二乗識別解析、前記少なくとも１つのスペクトル分解されたデータセットへのサポートベクタマシンの適用、ｋ最近傍解析の適用、及び、前記少なくとも１つのスペクトル分解されたデータセットへの深層学習アルゴリズムの適用、の１つ又は複数を含む、請求項４に記載のシステム。
【請求項６】
前記第１の血液凝固塊タイプと前記第２の血液凝固塊タイプとの間の前記区別は、ルックアップテーブルの利用を含む、請求項４又は５に記載のシステム。
【請求項７】
前記少なくとも１つの広帯域放射は４００ｎｍ〜８００ｎｍの範囲の放射を含む、請求項１から６のいずれか一項に記載のシステム。
【請求項８】
前記血液凝固塊に関連する前記情報は、どの１つ又は複数の血栓摘出デバイスが前記血液凝固塊の除去に最も適しているかの評価、前記血液凝固塊の物理的硬度の査定、前記血液凝固塊の密度の査定、及び前記血液凝固塊のフィブリン含有量の査定、の１つ又は複数を含む、請求項１から７のいずれか一項に記載のシステム。
【請求項９】
閉塞構造物に関連する情報を決定するための方法であって、前記方法は、
スペクトル分解ユニットに少なくとも１つの広帯域放射を供給するステップであって、前記少なくとも１つの広帯域放射は血管構造内の関心領域にある血液凝固塊を含む閉塞構造物と関連する第１の広帯域放射を含み、前記第１の広帯域放射は前記血液凝固塊から反射した放射を含み、前記少なくとも１つの広帯域放射は、前記血管構造内から反射した前記閉塞構造物と関連していない第２の広帯域放射を含む、ステップと、
前記少なくとも１つの広帯域放射に基づいて少なくとも１つのスペクトル分解されたデータセットを決定するステップであって、前記スペクトル分解ユニットは、前記少なくとも１つのスペクトル分解されたデータセットを決定するための波長分解素子であり、前記少なくとも１つのスペクトル分解されたデータセットは前記第１の広帯域放射に基づいて決定される第１のスペクトル分解されたデータセットを含み、前記少なくとも１つのスペクトル分解されたデータセットは、前記第２の広帯域放射に基づいて決定される第２のスペクトル分解されたデータセットを含む、ステップと、
処理ユニットに、前記少なくとも１つの広帯域放射に基づいて前記少なくとも１つのスペクトル分解されたデータセットを供給するステップと、
前記処理ユニットによって、懸念される前記閉塞構造物に関連する情報を決定するステップであって、前記第１のスペクトル分解されたデータセットと前記第２のスペクトル分解されたデータセットとの間の比率の利用を含む、ステップと、
前記閉塞構造物に関連する情報を出力するステップと、
を有する、方法。
【請求項１０】
請求項１から８のいずれか一項に記載のシステムを制御するためのコンピュータプログラムであって、プロセッサによって実行される時、請求項９に記載の方法を実行する、コンピュータプログラム。
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
重鎖、軽鎖、ならびに重鎖および／または軽鎖のＣ末端に連結された１つまたはそれ以上のポリアスパラギン酸（ポリＤ）ペプチドを含む、抗体またはその抗原結合断片であって、前記１つまたはそれ以上のポリＤペプチドは、重鎖または軽鎖のアミノ酸配列と一体化している、前記抗体またはその抗原結合断片。
【請求項２】
（ｉ）重鎖のＮ末端と一体化しているポリＤペプチド、（ｉｉ）重鎖のＣ末端と一体化しているポリＤペプチド、または（ｉｉｉ）（ｉ）と（ｉｉ）の両方を含む、請求項１に記載の抗体または抗原結合断片。
【請求項３】
軽鎖のＣ末端と一体化しているポリＤペプチドを含む、請求項１または２に記載の抗体または抗原結合断片。
【請求項４】
ポリＤペプチドは、ペプチドリンカーを介して重鎖または軽鎖に融合している、請求項１〜３のいずれか１項に記載の抗体または抗原結合断片。
【請求項５】
１つまたはそれ以上のポリＤペプチドは、それぞれ独立して２〜３０個のアスパラギン酸残基を含む、請求項１〜４のいずれか１項に記載の抗体または抗原結合断片。
【請求項６】
抗体がＩｇＧである、請求項１〜５のいずれか１項に記載の抗体または抗原結合断片。
【請求項７】
抗体または抗原結合断片は、ＴＧＦβ１、ＴＧＦβ２、およびＴＧＦβ３の１つまたはそれ以上に特異的に結合する、請求項１〜６のいずれか１項に記載の抗体または抗原結合断片。
【請求項８】
抗体は、配列番号１３の重鎖相補性決定領域（ＣＤＲ）１〜３および配列番号１５の軽鎖ＣＤＲ１〜３を含む、請求項７に記載の抗体または抗原結合断片。
【請求項９】
抗体は、配列番号１３の残基１〜１２０に対応する重鎖可変ドメイン（ＶＨ）アミノ酸配列、および配列番号１５の残基１〜１０８に対応する軽鎖可変ドメイン（ＶＬ）アミノ
酸配列を含む、請求項７に記載の抗体または抗原結合断片。
【請求項１０】
抗体は、２２８位（ＥＵ番号付け）にプロリンを有するヒトＩｇＧ４定常領域を含む、請求項８または９に記載の抗体または抗原結合断片。
【請求項１１】
抗体の重鎖は、配列番号１３のアミノ酸配列を含み、抗体の軽鎖は、配列番号１５のアミノ酸配列を含む、請求項７に記載の抗体または抗原結合断片。
【請求項１２】
重鎖は、配列番号１３、１４、１６または１７のアミノ酸配列を含み、軽鎖は、配列番号１５、１９、２１または２２のアミノ酸配列を含む、請求項８に記載の抗体。
【請求項１３】
抗体は、配列番号２および６の重鎖および軽鎖アミノ酸配列をそれぞれ含む、請求項７に記載の抗体または抗原結合断片。
【請求項１４】
抗体の重鎖は、配列番号１４または１７のアミノ酸配列を含み、軽鎖は、配列番号１５のアミノ酸配列を含む、ヒトＴＧＦβ１、ＴＧＦβ２、およびＴＧＦβ３に結合するＩｇＧ４抗体。
【請求項１５】
請求項１〜１４のいずれか１項に記載の抗体または抗原結合断片、および薬学的に許容される賦形剤を含む医薬組成物。
【請求項１６】
ＴＧＦβの阻害から利益を得る骨状態を有するヒトを治療するための医薬を製造するための、請求項７〜１４のいずれか１項に記載の抗体または抗原結合断片の使用。
【請求項１７】
処置は、ヒトにおける（１）ＴＧＦβレベルの低下、（２）ＴＧＦβ活性の低下、（３）骨量減少の低下、（４）骨量減少率の低下、（５）骨密度の増加、（６）骨強度の増加、および（７）ＩＬ−１１レベルの低下の少なくとも１つをもたらす、請求項１６に記載の使用。
【請求項１８】
ヒトは、骨形成不全症、骨量減少もしくは骨粗鬆症、慢性腎臓病、または骨転移を有する癌を有する、請求項１６または１７に記載の使用。
【請求項１９】
請求項７〜１４のいずれか１項に記載の抗体または抗原結合断片の重鎖、軽鎖、またはその両方をコードするヌクレオチド配列を含む、単離された核酸分子。
【請求項２０】
請求項１９に記載の単離された核酸分子を含む発現ベクター。
【請求項２１】
請求項２０に記載の発現ベクターを含む宿主細胞。
【請求項２２】
宿主細胞は哺乳動物細胞である、請求項２１に記載の宿主細胞。
【請求項２３】
請求項７〜１４のいずれか１項に記載の抗体または抗原結合断片の製造方法であって、
抗体または抗原結合断片の重鎖および軽鎖をそれぞれコードする第１および第２のヌクレオチド配列を含む宿主細胞を提供すること、
抗体または抗原結合断片の産生を可能にする条件下で宿主細胞を増殖させること、ならびに
抗体または抗原結合断片を回収すること
を含む、前記製造方法。
【請求項２４】
第１のヌクレオチド配列は、配列番号２３、２４、２５または２６を含み、第２のヌク
レオチド配列は、配列番号２７、２９、３１または３２を含む、請求項２３に記載の方法。
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
（ａ）配列番号１に記載のクマモリシンＡＳに由来するアミノ酸配列、もしくはタンパク質分解活性を維持するそのフラグメント、部分もしくはシャッフル変異体を含むか、または
（ｂ）配列番号１と少なくとも９０％同一であるアミノ酸配列、もしくはタンパク質分解活性を維持するそのフラグメント、部分もしくはシャッフル変異体を含む、プロテアーゼ変異体であって、
該プロテアーゼ変異体は、１つ以上のアミノ酸置換を有し、少なくとも１つのアミノ酸置換が配列番号１の残基位置Ａ５１７にある、プロテアーゼ変異体。
【請求項２】
（ｉ）配列番号４に記載のクマモリシンＡＳ野生型、または
（ｉｉ）配列番号１〜３のいずれか１つに記載のクマモリシンＡＳ主鎖
と比較して少なくとも１つの改変されたまたは改善された安定性を示す、請求項１に記載のプロテアーゼ変異体。
【請求項３】
配列番号１の残基位置Ｄ４４７および／またはＡ４４９に少なくとも１つのさらなるアミノ酸置換を有する、請求項１または２に記載のプロテアーゼ変異体。
【請求項４】
配列番号１に記載のクマモリシンＡＳ主鎖と比較して、少なくとも２つのアミノ酸置換を有する、請求項１〜３のいずれか一項に記載のプロテアーゼ変異体。
【請求項５】
Ｄ４４７Ｓ、Ａ４４９Ｙ、Ａ５１７Ｔ、Ｎ５１０Ｈ、Ｅ３６０Ｌ、Ｅ３６０Ｖ、Ｅ３６０Ｃ、Ｖ５０２Ｃ、Ｅ４５３Ｗ、Ａ５１４Ｔ、Ａ５１４Ｙ、Ａ５１４Ｄ、Ａ５１４Ｓ、Ａ４６０Ｗ、Ａ３８６Ｉからなる群から選択される、少なくとも１つ、好ましくは少なくとも２つ、より好ましくは少なくとも３つ、より好ましくは少なくとも４つ、より好ましくは少なくとも５つ、最も好ましくは少なくとも６つのアミノ酸置換を有する、請求項１〜４のいずれか一項に記載のプロテアーゼ変異体。
【請求項６】
配列番号１に記載のクマモリシンＡＳ主鎖中の選択された残基に置換の組を有し、前記置換の組は、
ａ）３６０、４４７、４４９、および５１０
ｂ）４４７、４４９、および５１４、および／または
ｃ）４４７、４４９、４５３、および５１７
の少なくとも１つである、請求項１〜５のいずれか一項に記載のプロテアーゼ変異体。
【請求項７】
前記改善された安定性が、活性化酵素またはチモーゲンのいずれかの改善された熱安定性（ＩＴ50）である、請求項２〜６のいずれか一項に記載のプロテアーゼ変異体。
【請求項８】
前記プロテアーゼ変異体が≧７５℃および≦１０５℃のＩＴ50を有する、請求項７に記載のプロテアーゼ変異体。
【請求項９】
請求項１〜８のいずれか一項に記載のプロテアーゼ変異体をコードする、核酸分子。
【請求項１０】
請求項９に記載の核酸分子を含む、プラスミドまたはベクター系。
【請求項１１】
請求項１〜８のいずれか一項に記載のプロテアーゼ変異体またはプロテアーゼを含む組成物であって、≧５のｐＨを有する組成物。
【請求項１２】
請求項１〜８のいずれか一項に記載のプロテアーゼ変異体もしくはプロテアーゼを含む、飼料添加剤、配合原料、飼料補給剤、および／または飼料。
【請求項１３】
飼料の製造のための請求項１〜８のいずれか一項に記載のプロテアーゼ変異体の使用。
【請求項１４】
ｉ）配列番号１〜４のいずれかに１つに記載のクマモリシンＡＳアミノ酸配列をコードするＤＮＡ、ｃＤＮＡまたはｍＲＮＡを突然変異誘発すること、
ｉｉ）得られたクマモリシンＡＳの１つ以上の突然変異体を発現すること、および
ｉｉｉ）安定性、好ましくは熱安定性について、クマモリシンＡＳの１つ以上の突然変異体を試験すること
を含む、請求項１〜８のいずれか一項に記載のプロテアーゼ変異体を製造する方法。
【請求項１５】
Ｎ５１０、Ｖ５０２、Ｅ４５３、Ｅ３６０、Ａ５１４、および／またはＡ４６０からなる群から選択される配列番号１の１つ以上の残基位置に、１つ以上のアミノ酸置換をさらに含む、請求項２に記載のプロテアーゼ変異体。
【請求項１６】
配列番号１に記載のクマモリシンＡＳと比較して、Ａ４４９、Ａ５１７、Ｎ５１０、Ｖ５０２、Ｅ４５３、Ｅ３６０、Ａ５１４、および／またはＡ４６０における１つ以上の置換がＡ４４９Ｙ、Ａ５１７Ｔ、Ｎ５１０Ｈ、Ｅ３６０Ｌ、Ｅ３６０Ｖ、Ｅ３６０Ｃ、Ｖ５０２Ｃ、Ｅ４５３Ｗ、Ａ５１４Ｔ、Ａ５１４Ｙ、Ａ５１４Ｄ、Ａ５１４Ｓ、Ａ４６０Ｗからなる群から選択される、請求項２または１５に記載のプロテアーゼ変異体。